(57)【要約】【課題】着用感を低下させることなく、尿吸収体をパンツを着用したまま容易に取り替えると共に、取り付けられた尿吸収体の位置ズレを効果的に防止するようにしたパンツを提供する。【解決手段】表クロッチ布と裏クロッチ布とを少なくとも備えたパンツＰにおいて、表クロッチ布と裏クロッチ布を重ねて縫合して尿吸収体を収容するクロッチポケットＣＰを形成すると共に、クロッチポケットに表開き口ＡＳと裏開き口ＡＳ’を形成して尿吸収体をクロッチポケットに着脱自在とする。【選択図】図１
2008002030.tif 000002
【特許請求の範囲】
【請求項１】
表クロッチ布と裏クロッチ布とを少なくとも備えたパンツにおいて、前記表クロッチ布と裏クロッチ布を重ねて縫合して尿吸収体を収容するクロッチポケットを形成すると共に、前記クロッチポケットに表開き口と裏開き口の少なくともいずれかを形成して前記尿吸収体を前記クロッチポケットに着脱自在としたことを特徴とするパンツ。
【請求項２】
前記表クロッチ布と裏クロッチ布はそれぞれその端部が円弧状を呈する前立てとその端部が円弧状を呈する股マチ布からなると共に、前記前立ての端部と股マチ布の端部とを縫合してその縫合部付近を錐体形状に形成したことを特徴とする請求項１記載のパンツ。
【請求項３】
前記クロッチポケットに前記表クロッチ布と裏クロッチ布とを股間部後方付近で縫合して第２の縫合部を形成すると共に、前記クロッチポケットにおいて、前記尿吸収体の端部を前記第２の縫合部付近に位置させたことを特徴とする請求項１または２記載のパンツ。
【発明の詳細な説明】
【技術分野】
【０００１】
この発明はパンツに関し、より具体的には尿漏れ対策を施したパンツに関する。
【０００２】
尚、この明細書において、「パンツ」は、男性用および女性用の下着（インナウエア）を意味するものとして用いる。
【０００３】
また、この明細書において、「男性器」は男性の外部生殖器を指し、基本的には陰茎と陰嚢を総称する意味で使用する。
【背景技術】
【０００４】
尿漏れとは、失禁あるいは頻尿により排尿準備行動が間に合わず排尿に至る症状であり、従来よりその症状に適応した大人用の紙おむつなどが開発されている。上記した症状の性格から、尿漏れは介護される人あるいは高年齢者の症状というイメージが定着しているが、近時それとは別に男女を問わず、若年層あるいは中年齢層においても、トイレに再々行けない状況下で尿意の我慢、冷房等での膀胱炎症状、あるいは産前・産後の体調不良など各々の生活環境に起因した少量の尿漏れを経験する者も多く、その対策が必要とされている。
【０００５】
また、中年齢層以降の男性にあっては、排尿後の残尿が少量漏れ出る症状を持つことも多く、それによってパンツやズボンが汚れるという不都合があった。これらの症状がひどい場合は前記した大人用の紙おむつを着用することも考えられるが、紙おむつは尿漏れ対策専用として使用用途が特定されると共に、見た目のシルエットも悪くなるため、スッキリとしたシルエットのものが求められていた。
【０００６】
これに対して、従来より、失禁あるいは頻尿による尿を吸収する尿吸収部材を通常のパンツに縫着し、尿が外部に漏れないようにした一体成形型の尿漏れ対策用パンツが広く知られている。しかしながら、一体成形型パンツにあっては、外部に漏れのないように厚手の尿吸収部材を縫着するため、伸縮性に乏しく嵩張感も否めず、股間部が圧迫されて着用感に違和感があった。また、尿吸収構造に優れる半面、保水（尿）したパンツは履き替えて交換しない限り、不快感および匂いの心配等が継続するため、精神的ストレスが蓄積される不都合があった。
【０００７】
また、尿漏れの症状には個人差があり、体調や季節環境等で尿量は変化するため、適宜に調整対応することが望ましいが、一体成形型パンツにあっては既に尿吸収部材がパンツ本体に縫着されているため、その調整対応ができず、少量の尿漏れや排尿後の残尿が少量漏れ出る症状には必要以上の構造であり、不便であった。従って、体調や季節環境等で症状が緩和したときに尿漏れ対策を不要にして通常のパンツとして使用できる一方、症状が出た場合に素早く対応できるようにしたパンツが望ましい。
【０００８】
このとき、パンツに尿吸収体（例えば、尿吸収ライナーなど）をテープで固定して装着し、直接肌に密着させることで尿を吸収して外部に漏れないようにすることが考えられるが、この場合尿吸収体を適正な位置を定めて固定する、即ち、尿吸収体の位置決めに手間取るという不具合があった。
【０００９】
そこで、例えば下記の特許文献１記載の技術にあっては、パンツ本体の股部内面の身生地上に、透湿性防水布からなる股当片を縫着し、この股当片上に吸水性ポリマーシート（尿吸収体）を挿脱自在とする挿脱口を裏面に設けた吸水パッドを止着部材により着脱自在に取り付けるように構成している。
【特許文献１】実用新案登録第３０１０５７９号公報（段落００１６から００２０、および図２から４など）
【発明の開示】
【発明が解決しようとする課題】
【００１０】
しかしながら、特許文献１記載の技術にあっては、吸水パッドとパンツ本体との係止（止着）箇所が一箇所であるため、歩く、座るなどの動作に伴って別体である吸水パッドが移動し、位置ズレが生じる。また、吸水パッドの尿吸収体の取り替えには、少なくともパンツを下げて、保水した（尿を吸収した）尿吸収体を取り外して新しい尿吸収体と交換する必要があり、その動作が煩瑣であると共に、尿漏れの症状が緩和して吸水パッドを外して使用する場合、股部内面に防水布からなる股当片が縫着されているため、着用感が低下して機能的に問題があった。
【００１１】
従って、この発明の目的は上記した課題を解決し、着用感を低下させることなく、尿吸収体をパンツを着用したまま容易に取り替えると共に、取り付けられた尿吸収体の位置ズレを効果的に防止するようにしたパンツを提供することにある。
【課題を解決するための手段】
【００１２】
上記の目的を解決するために、請求項１にあっては、表クロッチ布と裏クロッチ布とを少なくとも備えたパンツにおいて、前記表クロッチ布と裏クロッチ布を重ねて縫合して尿吸収体を収容するクロッチポケットを形成すると共に、前記クロッチポケットに表開き口と裏開き口の少なくともいずれかを形成して前記尿吸収体を前記クロッチポケットに着脱自在とするように構成した。
【００１３】
請求項２にあっては、前記表クロッチ布と裏クロッチ布はそれぞれその端部が円弧状を呈する前立てとその端部が円弧状を呈する股マチ布からなると共に、前記前立ての端部と股マチ布の端部とを縫合してその縫合部付近を錐体形状に形成するように構成した。
【００１４】
請求項３にあっては、前記クロッチポケットに前記表クロッチ布と裏クロッチ布とを股間部後方付近で縫合して第２の縫合部を形成すると共に、前記クロッチポケットにおいて、前記尿吸収体の端部を前記第２の縫合部付近に位置させるように構成した。
【発明の効果】
【００１５】
請求項１に係るパンツにあっては、表クロッチ布と裏クロッチ布を重ねて縫合して尿吸収体を収容するクロッチポケットを形成、即ち、通常使用される表クロッチ布と裏クロッチ布に尿吸収体を収容するクロッチポケットを形成したので、従来技術の吸水パッドのような部材を不要とした簡易な構成でありながら、着用感を低下させることなく、尿吸収体をクロッチポケットに収容する（即ち、パンツに取り付ける）ことができる。
【００１６】
また、クロッチポケットに表開き口と裏開き口の少なくともいずれかを形成して尿吸収体をクロッチポケットに着脱自在とするように構成したので、着用者はパンツを着用したまま、表開き口と裏開き口の少なくともいずれかから尿吸収体を容易に取り替える（着脱）することができる。さらに、表クロッチ布と裏クロッチ布を重ねて形成されるクロッチポケットに尿吸収体が収容される、換言すれば、尿吸収体はクロッチポケットの中に挟み込まれるように構成したので、歩く、座るなどの動作によってズレたり、はみ出したりすることがなく、よって尿吸収体の位置ズレを効果的に防止することができる。また、通常使用される表クロッチ布と裏クロッチ布にクロッチポケットを形成したので、尿吸収体を取り付けない（収容しない）ときは通常のパンツとして使用でき、見た目のシルエットに優れる。
【００１７】
請求項２に係るパンツにあっては、表クロッチ布と裏クロッチ布はそれぞれその端部が円弧状を呈する前立てとその端部が円弧状を呈する股マチ布からなると共に、前立ての端部と股マチ布の端部とを縫合してその縫合部付近を錐体形状に形成するように構成したので、上記した効果に加え、表クロッチ布と裏クロッチ布から形成されるクロッチポケットを、前記縫合部付近において錐体形状、具体的には着用者の体形に即した形状に形成することも可能となり、よって尿吸収体の取り替え（着脱）を容易に行うことができる。さらに、男性が着用する場合、前記縫合部を男性器付近に位置させるように構成することも可能となり、これにより錐体形状の内部に形成されたスペースに、男性器を容易に収容でき、着用感も一層向上させることができる。
【００１８】
請求項３に係るパンツにあっては、クロッチポケットに表クロッチ布と裏クロッチ布とを股間部後方付近で縫合して第２の縫合部を形成すると共に、クロッチポケットにおいて、尿吸収体の端部を第２の縫合部付近に位置させるように構成、即ち、股間部後方付近の第２の縫合部付近が尿吸収体が収容されるべき位置の基点となるように構成したので、上記した効果に加え、パンツを着用したまま尿吸収体を取り替える際、新しい尿吸収体を適切な位置に素早く収容、具体的には、股間部の尿漏れ範囲に素早く位置決めして収容することができる。また、第２の縫合部は縫製作業の必要工程において形成され、縫い目が存在するだけであるため、着用感が低下することがない。
【発明を実施するための最良の形態】
【００１９】
以下、添付図面に即してこの発明に係るパンツの最良の実施の形態について説明する。
【実施例１】
【００２０】
図１はこの発明の第１実施例に係るパンツの正面図であり、図２は図１に示すパンツの背面図である。
【００２１】
図１および２において、符号Ｐはパンツを示す。パンツＰは、左右身頃Ｌ，Ｒと後身頃Ｕの各身頃と、左身頃Ｌと右身頃Ｒの前方付近の間に形成されるクロッチ部ｃと、履き口に縫着された腰ゴムＧとからなる。また、図示の如く、左身頃Ｌには左裾口ＬＨが、右身頃Ｒには右裾口ＲＨが形成される。尚、この明細書において、左右あるいは前後などの記載は、着用者にとっての左右方向あるいは前後方向を意味する。尚、第１実施例に係るパンツＰは主として男性用である。
【００２２】
左右身頃Ｌ，Ｒ、後身頃Ｕ、およびクロッチ部ｃは着圧可能な素材、具体的には、ポリウレタン糸を含むニットから製作される。従って、パンツＰは着用者の体にフィットし、着用者の太股などもサポートする着圧式（ボクサータイプ）のブリーフからなる。これにより、尿吸収体（後述）を収容して膨らみ（ボリューム）が発生する際、体側は圧迫されず、膨らみは柔軟に外側へ発生される。
【００２３】
また、図１，２に示されるパンツシルエットの形態での構成にあっては、パンツ丈はレギュラー丈であって、腰ゴムＧはウエスト位置に装着される丈である。尚、この明細書において、パンツの丈は大別して、一般的な股上丈のものをレギュラー丈、やや短いものをセミショート丈、短いものをショート丈と区別して用いる。
【００２４】
図３は、図１および図２に示すクロッチ部ｃを拡大して表す拡大平面図と拡大左側面図である。尚、図において、括弧で表す符号は図示上見えない箇所を示す。
【００２５】
クロッチ部ｃは、表クロッチ布Ｃと裏クロッチ布Ｃ’とからなる。裏クロッチ布Ｃ’は、上記した着圧可能な素材であって、吸水透過性も有する素材（例えば、特許第２９８７６０５号公報に記載されるセラミックス微粒子を含有する繊維（綿））から製作される。この明細書で「表」とは、着用されたパンツにおいて露出される部分、即ち、人体に接触しない部分を意味し、「裏」とは、被覆される部分、即ち、人体に接触する部分を意味する。
【００２６】
表クロッチ布Ｃと裏クロッチ布Ｃ’について、図４以降を参照してさらに説明する。図４は、図３などに示す表クロッチ布Ｃと裏クロッチ布Ｃ’の裁断形状（生地片）を、表側から見た平面図である。
【００２７】
表クロッチ布Ｃは、表前立てＡと表股マチ布Ｂとからなると共に、裏クロッチ布Ｃ’は、裏前立てＡ’と裏股マチ布Ｂ’とからなる。表前立てＡの図４において下端（端部）５−６−７は、円弧状（凸弧状）を呈する曲線辺となるように裁断される。また、表前立てＡの図４において左端２−５、即ち、着用者から見て右端には、表開き口ＡＳが施される。表開き口ＡＳは、後述するように尿吸収体の着脱および陰茎の出し入れに利用されるため、その縦方向の長さは適宜に設定される。
【００２８】
表前立てＡと裏前立てＡ’は略左右相称（対称）形状の生地片であるため、上記した説明は裏前立てＡ’にも妥当する。即ち、裏前立てＡ’の下端（端部）５’−６’−７’は、円弧状（凸弧状）を呈する曲線辺となるように裁断される。また、裏前立てＡ’の右端１’−７’、即ち、着用者から見て左端には、裏開き口ＡＳ’が施されると共に、その縦方向の長さは適宜に設定される。
【００２９】
表股マチ布Ｂの図４において上端（端部）１０−９−８は、円弧状（凸弧状）を呈する曲線辺となるように裁断される。また、表股マチ布Ｂは符号９−ＣＢ（センターバック位置）が生地片の中心であり、中心線（実際に線があるわけではない）を基準に略左右相称形状である。
【００３０】
表股マチ布Ｂと裏股マチ布Ｂ’は略同形状の生地片であるため、上記した説明は裏股マチ布Ｂ’にも妥当する。即ち、裏股マチ布Ｂ’の上端（端部）１０’−９’−８’は、円弧状（凸弧状）を呈する曲線辺となるように裁断されると共に、裏股マチ布Ｂ’は符号９’−ＣＢ’で示される中心線を基準に略左右相称形状である。前記した表前立てＡの下端５−６−７、裏前立てＡ’の下端５’−６’−７、表股マチ布Ｂの上端１０−９−８、および裏股マチ布Ｂ’の上端１０’−９’−８’に形成された曲線辺は全て、曲率が略同等となるように設定される。
【００３１】
図５は、表クロッチ布Ｃと裏クロッチ布Ｃ’が重ねられる前の状態を右前方から見た立体斜視図であり、図６は、重ねられた表クロッチ布Ｃと裏クロッチ布Ｃ’を左後方から見た立体斜視図である。尚、図５において、表裏クロッチ布Ｃ，Ｃ’のセンターバックＣＢ，ＣＢ’の位置する端縁が互いに後方部に湾曲して位置させられているが、これは人体シルエットに対比した構成を示すためである。
【００３２】
図５および図６に示す如く、表クロッチ布Ｃは、表前立てＡと表股マチ布Ｂとを縫合、具体的には、表前立てＡの下端５−６−７と表股マチ布Ｂの上端１０−９−８とを縫合して形成される。また、裏クロッチ布Ｃ’は、裏前立てＡ’と裏股マチ布Ｂ’とを縫合、具体的には、裏前立てＡ’の下端５’−６’−７と裏股マチ布Ｂ’の上端１０’−９’−８’とを縫合して形成される。
【００３３】
このように形成された表クロッチ布Ｃと裏クロッチ布Ｃ’は、図６に示すように、表クロッチ布Ｃのセンターフロント位置ＣＦを裏クロッチ布Ｃ’のセンターフロント位置ＣＦ’に、表クロッチ布センターバック位置ＣＢを裏クロッチ布センターバック位置ＣＢ’に配置させて重ねられる。このようにして、図３に示すクロッチ部ｃが形成される。
【００３４】
クロッチ部ｃには、図３などによく示す如く、表クロッチ布Ｃと裏クロッチ布Ｃ’を重ねてその周囲を縫合することで、尿吸収体を収容可能な内部空間を有するクロッチポケットＣＰが形成される。即ち、クロッチ部ｃには、表クロッチ布Ｃと裏クロッチ布Ｃ’を重ねて縫合して尿吸収体を収容するクロッチポケットＣＰが形成される。
【００３５】
このとき、表クロッチ布Ｃと裏クロッチ布Ｃ’は、前記した表開き口ＡＳと裏開き口ＡＳ’の部分を除いて縫合される。これにより、クロッチポケットＣＰの内部空間（換言すれば、尿吸収体が配置されるべき空間）は、表開き口ＡＳあるいは裏開き口ＡＳ’を介して外部空間と連通される。
【００３６】
また表クロッチ布Ｃにあっては、前述したように、表前立てＡの端部（曲線辺）５−６−７と表股マチ布Ｂの端部（曲線辺）１０−９−８とが縫合されるため、その縫合部Ｄ１付近は錐体形状、具体的には略円錐体形状Ｙに形成される。より具体的には、図３−２に示す円錐体形状Ｙの底面の直径Ｗは約９［ｃｍ］となると共に、円錐体形状の高さＨは約４［ｃｍ］となるように形成される。尚、ここで「約」と記載したのは、素材の伸縮性の違いなどによって若干変わる、あるいは変更する場合もあるためである。
【００３７】
裏クロッチ布Ｃ’にあっても同様に、裏前立てＡ’の端部（曲線辺）５’−６’−７’と裏股マチ布Ｂ’の端部（曲線辺）１０’−９’−８’とが縫合されるため、その縫合部付近は錐体形状、具体的には略円錐体形状に形成される。裏クロッチ布Ｃ’の円錐体形状の底面の直径や高さは、表クロッチ布Ｃのそれと略同一の値となる。
【００３８】
また、表前立てＡの端部（曲線辺）５−６−７と表股マチ布Ｂの端部（曲線辺）１０−９−８は、その曲率が略同等であるため、図３−１に示す如く、表前立てＡと表股マチ布Ｂの縫合部Ｄ１は、平面視において横一直線に縦断するように形成される。裏クロッチ布Ｃ’においても同様であるので、説明を省略する。
【００３９】
円錐体形状Ｙは、略恥骨上部に位置させられ、着用者の体形（即ち、人体の曲線丸み）に即した、あるいは男性器の収容が容易な形態となる。また、股マチ幅ＭＷは約６［ｃｍ］に形成され、このＭＷ位置が股間直下部となる。尚、この股マチ幅ＭＷにおいても前記同様に素材の伸縮性の違いなどによって若干変わる、あるいは変更する場合も否めない。
【００４０】
また、表クロッチ布の端部（下端）１１−１２と裏クロッチ布の端部（下端）１１’−１２’を股間部後方付近で縫合すると共に、その端部を前記した後身頃Ｕと縫合することで、図２によく示す第２の縫合部Ｄ２が形成される。このように、クロッチポケットＣＰには、表クロッチ布Ｃと裏クロッチ布Ｃ’とを股間部後方付近で縫合して第２の縫合部Ｄ２が形成される。
【００４１】
図７は、重ねられた表クロッチ布Ｃと裏クロッチ布Ｃ’のみを人体シルエットに対比して示す右側面図と正面図である。
【００４２】
図７から分かるように、表クロッチ布Ｃと裏クロッチ布Ｃ’の符号６，９，（６’），（９’）は円錐体形状Ｙの最大の高さ位置であると共に、円錐体形状Ｙの中心であるため、男性器部分は円錐体形状Ｙの内部に形成された凹弧状の窪地におのずと収容される。これにより、陰茎ｐも中心に安定して収容されるため、後に述べる尿吸収体を収容して着用する場合、尿吸収体と陰茎ｐは適宜な位置関係、具体的には、陰茎ｐから排出された尿を尿吸収体によって確実に吸収することができる位置関係を確保することができる。尚、図７において、人体シルエットに対比させて説明したが、あくまでも理解の便宜のためであって、表クロッチ布Ｃと裏クロッチ布Ｃ’のみで着用できるものではない。
【００４３】
図８は図１に示すパンツＰを下方から見た立体斜視図であり、図９はパンツＰ完成時の中央部を左右に分断して左身頃Ｌを右側から見た断面図である。
【００４４】
図８および９において、符号ＮＬは、表開き口ＡＳから挿入させられてクロッチポケットＣＰに収容された尿吸収体を示す。クロッチポケットＣＰに収容された尿吸収体ＮＬは、実際にはパンツ表からも裏からも隠れて見えない。また同様に、図８に破線で示す裏開き口ＡＳ’も外部からは見えない。
【００４５】
尿吸収体（尿吸収ライナー）ＮＬは、略直方体を呈する比較的薄いシート、具体的には、長さ（奥行き）１７〜２３［ｃｍ］、幅５〜６［ｃｍ］、高さ（薄さ）２〜６［ｍｍ］程度のシートであり、尿を吸収可能な素材（例えば、高吸収性ポリマーや綿状パルプなど）から製作され、その尿吸収量は５〜１５０［ｃｃ］程度である。この尿吸収体ＮＬは、比較的安価で尿吸収専用の商品が種々知られており、着用者の症状に合わせ選定される。
【００４６】
尿吸収体ＮＬは、表開き口ＡＳあるいは裏開き口ＡＳ’を介してクロッチポケットＣＰに挿入されて収容される。このとき、クロッチポケットＣＰにおいて、尿吸収体ＮＬの端部ＮＬ１は、前記した第２の縫合部Ｄ２付近に位置させられる。
【００４７】
このように、第１実施例に係るパンツＰにあっては、表クロッチ布Ｃと裏クロッチ布Ｃ’を重ねて縫合して尿吸収体ＮＬを収容するクロッチポケットＣＰを形成、即ち、通常使用される表クロッチ布Ｃと裏クロッチ布Ｃ’に尿吸収体ＮＬを収容するクロッチポケットＣＰを形成したので、従来技術の吸水パッドのような部材を不要とした簡易な構成でありながら、着用感を低下させることなく、尿吸収体ＮＬをクロッチポケットＣＰに収容する（即ち、パンツＰに取り付ける）ことができる。
【００４８】
また、クロッチポケットＣＰに表開き口ＡＳと裏開き口ＡＳ’の少なくともいずれかを形成して尿吸収体ＮＬをクロッチポケットＣＰに着脱自在とするように構成したので、着用者はパンツＰを着用したまま、表開き口ＡＳと裏開き口ＡＳ’の少なくともいずれかから尿吸収体ＮＬを容易に取り替える（着脱する）ことができる。パンツＰを着用したままでの尿吸収体ＮＬの着脱について詳述すると、ズボンを重ね穿きした状態でもズボンを下げることなく、ズボンのファスナーを開け、パンツＰの表開き口ＡＳから尿吸収体ＮＬを挿入して収容、あるいは保水（尿）した尿吸水体ＮＬを取り出すことが可能であり、その動作も簡易である。
【００４９】
さらに、表クロッチ布Ｃと裏クロッチ布Ｃ’を重ねて形成されるクロッチポケットＣＰに尿吸収体ＮＬが収容される、換言すれば、尿吸収体ＮＬはクロッチポケットＣＰの中、特にクロッチポケットＣＰの股マチ幅ＭＷに挟み込まれるように構成したので、歩く、座るなどの動作によってズレたり、はみ出したりすることがなく、よって尿吸収体ＮＬの位置ズレを効果的に防止することができる。
【００５０】
また、通常使用される表クロッチ布Ｃと裏クロッチ布Ｃ’にクロッチポケットＣＰを形成したので、尿吸収体ＮＬを取り付けない（収容しない）ときは通常のパンツとして使用でき、見た目のシルエットに優れる。
【００５１】
また、表クロッチ布Ｃと裏クロッチ布Ｃ’はそれぞれその端部５（５’）−６（６’）−７（７’）が円弧状を呈する前立て（表前立てＡ、裏前立てＡ’）とその端部１０（１０’）−９（９’）−８（８’）が円弧状を呈する股マチ布（表股マチ布Ｂ、裏股マチ布Ｂ’）からなると共に、前立ての端部と股マチ布の端部とを縫合してその縫合部Ｄ１付近を錐体形状、具体的には円錐体形状Ｙ、より具体的には着用者の体形に即した形状に形成するように構成したので、尿吸収体ＮＬの取り替え（着脱）を容易に行うことができる。
【００５２】
さらに、縫合部Ｄ１を男性器付近に位置させるように構成したので、錐体形状（円錐体形状Ｙ）の内部に形成されたスペース、具体的には凹弧状の窪地に、男性器を容易に収容でき、着用感も一層向上させることができる。また、前記した形態によって男性器、正確には陰茎ｐは凹弧状の窪地、即ち、円錐体形状Ｙのスペースの中心に位置させられるため、陰茎ｐは尿吸収体ＮＬに対して適宜な位置関係にすることができ、よって陰茎ｐから排出されて裏クロッチ布Ｃを通過した尿を尿吸収体ＮＬによって確実に吸収することができる。
【００５３】
また、クロッチポケットＣＰに表クロッチ布Ｃと裏クロッチ布Ｃ’とを股間部後方付近で縫合して第２の縫合部Ｄ２を形成すると共に、クロッチポケットＣＰにおいて、尿吸収体ＮＬの端部ＮＬ１を第２の縫合部Ｄ２付近に位置させるように構成、即ち、股間部後方付近の第２の縫合部Ｄ２付近が尿吸収体ＮＬが収容されるべき位置の基点となるように構成したので、パンツＰを着用したまま尿吸収体ＮＬを取り替える際、新しい尿吸収体を適切な位置に素早く収容、具体的には、股間部の尿漏れ範囲に素早く位置決めして収容することができる。また、第２の縫合部Ｄ２は縫製作業の必要工程において形成され、縫い目が存在するだけであるため、着用感が低下することがない。
【実施例２】
【００５４】
次いで、この発明の第２実施例に係るパンツについて説明する。
【００５５】
図１０はこの発明の第２実施例に係るパンツＰ１を示す、図１と同様な正面図であり、図１１は図１０に示すパンツＰ１のクロッチ部ｃ１を表す、図３と同様な平面図と左側面図である。尚、以下の説明において、第１実施例と共通の構成については、同一の符号を付して説明を省略する。尚、第２実施例に係るパンツＰ１は男女兼用であるが、特に女性用に適している。
【００５６】
第１実施例との相違点に焦点をおいて説明すると、第１実施例ではパンツ丈をレギュラー丈で構成、即ち、腰ゴムＧをウエストに位置させていたのに対し、第２実施例ではセミショート丈で構成、即ち、腰ゴムＧ１を第１実施例の腰ゴムＧに比して約５［ｃｍ］程度下げて位置させる。また、第１実施例の尿吸収体ＮＬや陰茎を出し入れする表開き口ＡＳおよび裏開き口ＡＳ’が除去されると共に、これに代えて尿吸収体ＮＬをクロッチポケットＣＰ１に上方から着脱自在とする表開き口ＡＳ１が形成される。
【００５７】
この構成について図１２以降を参照して説明する。図１２は、図１１などに示す表クロッチ布Ｃ１と裏クロッチ布Ｃ１’の裁断形状（生地片）を、表側から見た、図４と同様な平面図である。
【００５８】
表クロッチ布Ｃ１は表前立てＡ１と表股マチ布Ｂとからなると共に、裏クロッチ布Ｃ１’は表前立てＡ１’と裏股マチ布Ｂ’とからなる。表前立てＡ１と裏前立てＡ１’の生地片における長手方向の長さ（具体的には、５２−５５（５１−５７）、５２’−５５’（５１’−５７’）はセミショート丈を構成する長さであると共に、表前立てＡ１の長手方向の長さは裏前立てＡ１’のそれに比して約２分の１程度となるように裁断される。
【００５９】
また、表前立てＡ１の図１２において下端（端部）５５−５６−５７と裏前立てＡ１’の下端（端部）５５’−５６’−５７’は、第１実施例と同様に、円弧状を呈する曲線辺となるように裁断される。表前立てＡ１と裏前立てＡ１’は、符号５１−５２，５１’−５２’の中間点ａ，ａ’から５６，５６’が生地片の中心であり、中心線を基準に略左右相称形状である。
【００６０】
図１３は、表クロッチ布Ｃ１と裏クロッチ布Ｃ１’が重ねられる前の状態を右前方から見た、図５と同様な立体斜視図である。
【００６１】
図１３に示す如く、表前立てＡ１と表股マチ布Ｂとを縫合することで表クロッチ布Ｃ１が、裏前立てＡ１’と裏股マチ布Ｂ’とを縫合することで裏クロッチ布Ｃ１’が形成され、それらが重ねられて図１１に示すクロッチ部ｃ１が形成される。このとき、表クロッチ布Ｃと裏クロッチ布Ｃ’は、前記した表開き口ＡＳ１の部分を除いて縫合される。これにより、クロッチポケットＣＰ１の内部空間（換言すれば、尿吸収体が配置されるべき空間）は、表開き口ＡＳ１を介して外部空間と連通される。即ち、図１０に示すパンツＰ１にあっては、尿吸収体ＮＬは表開き口ＡＳ１を介してクロッチポケットＣＰ１に着脱自在とされる。
【００６２】
また、第１実施例との大きな相違点は、表開き口ＡＳ１が陰茎の取り出しを目的としない点である。即ち、パンツＰ１のクロッチポケットＣＰ１は、セミショート丈パンツとしての構成であるため女性に適するが、男性が着用した場合も、第１実施例と比べ股上丈は約５［ｃｍ］短いため、腰ゴムＧ１を下げて容易に排尿することができる。
【００６３】
尚、残余の効果は第１実施例と同様であるので、説明を省略する。
【実施例３】
【００６４】
次いで、この発明の第３実施例に係るパンツについて説明する。
【００６５】
図１４はこの発明の第３実施例に係るパンツＰ２を示す、図１と同様な正面図であり、図１５は図１４に示すパンツＰ２のクロッチ部ｃ２を表す、図３と同様な平面図と左側面図である。また、図１６は、表クロッチ布Ｃ１と裏クロッチ布Ｃ１’が重ねられる前の状態を右前方から見た、図５と同様な立体斜視図である。尚、第３実施例に係るパンツＰ２は同様に男女兼用であるが、特に女性用に適している。
【００６６】
第２実施例との相違点に焦点をおいて説明すると、第２実施例ではパンツＰ１完成時においてクロッチポケットＣＰ１の表側にのみ表開き口ＡＳ１が形成されたが、第３実施例にあっては、その表開き口ＡＳ１が裏側に形成される。即ち、図１４から図１６に示す如く、互いのクロッチ布Ｃ１，Ｃ１’が表、裏逆に配置、具体的には、表クロッチ布Ｃ１は裏クロッチ布として配置されると共に、裏クロッチ布Ｃ１’は表クロッチ布として配置され、よって表開き口ＡＳ１が裏側に形成される。また、第３実施例にあっては表クロッチ布Ｃ１が内側（裏側）に配置されるため、表クロッチ布Ｃ１が吸水透過性を有する素材から製作される。また、外側（表側）に配置される裏クロッチ布Ｃ１’は、必ずしも吸水透過性を有する素材から製作されなくともよい。
【００６７】
このように、第３実施例に係るパンツＰ２にあっては、クロッチポケットＣＰ１の裏側に開き口（表開き口ＡＳ１）を形成して尿吸収体ＮＬをクロッチポケットＣＰ１に着脱自在とするように構成したので、尿吸収体ＮＬをパンツＰ２の内側（裏側）から容易に取り替えることができる。
【００６８】
尚、残余の効果は第２実施例と同様であるので、説明を省略する。
【実施例４】
【００６９】
次いで、この発明の第４実施例に係るパンツについて説明する。
【００７０】
図１７はこの発明の第４実施例に係るパンツＰ３を示す、図１と同様な正面図であり、図１８は図１７に示すパンツＰ３の背面図である。また、図１９は図１７に示すパンツＰ３のクロッチ部ｃ３を表す、図３と同様な平面図と左側面図である。尚、第４実施例に係るパンツＰ３は同様に男女兼用であるが、特に女性用に適している。
【００７１】
パンツＰ３は、左右身頃Ｌ２，Ｒ２と、臀部全体を被覆する後身頃Ｕ２と、左身頃Ｌと右身頃Ｒの前方付近の間に配置されるクロッチ部ｃ３と、履き口に縫着された腰ゴムＧ１とからなる。また、図示の如く、左身頃Ｌ２には左裾口ＬＨ２が、右身頃Ｒ２には右裾口ＲＨ２が形成される。
【００７２】
以下、第２実施例との相違点に焦点をおいて説明すると、図１７などによく示す如く、第４実施例ではブリーフあるいはショーツのように、股間部のみを被覆する、いわゆるショート丈のパンツＰ３にクロッチポケットＣＰ２が形成される。従って、左右身頃Ｌ２，Ｒ２はショート丈を構成する長さに設定される。
【００７３】
この構成について図２０以降を参照して説明する。図２０は、図１９などに示す表クロッチ布Ｃ２と裏クロッチ布Ｃ２’の裁断形状（生地片）を、表側から見た、図４と同様な平面図である。
【００７４】
表クロッチ布Ｃ２は、表前立てＡ１と表股マチ布Ｂ１とからなると共に、裏クロッチ布Ｃ２’は、表前立てＡ１’と裏股マチ布Ｂ１’とからなる。表股マチ布Ｂ１の図２０において上端（端部）６０−５９−５８と裏股マチ布Ｂ１’の上端（端部）６０’−５９’−５８’は、第２実施例と同様に、円弧状を呈する曲線辺となるように裁断される。
【００７５】
また、表股マチ布Ｂ１の図２０において下端（端部）６１−６２と裏股マチ布Ｂ１’の下端（端部）６１’−６２’はそれぞれ、円弧状を呈する曲線辺となるように裁断される。尚、表股マチ布Ｂ１と裏股マチ布Ｂ１’の下端に形成される曲線辺は、図２０に示すように、その上端に形成される曲線辺とは相違させられ、クロッチポケットＣＰ２がヒップのふくらみに即した形状となるような曲率に適宜設定される。
【００７６】
股マチ幅ＭＷ２は、従前の実施例同様、約６［ｃｍ］に形成され、このＭＷ２位置が股間直下部となる。また、表股マチ布Ｂ１と裏股マチ布Ｂ１’は、符号５９，５９’からＣＢ，ＣＢ’が生地片の中心であり、中心線を基準に略左右相称形状である。
【００７７】
図２１は、表クロッチ布Ｃ２と裏クロッチ布Ｃ２’が重ねられる前の状態を右前方から見た、図５と同様な立体斜視図である。
【００７８】
図２１に示す如く、表前立てＡ１と表股マチ布Ｂ１とを縫合することで表クロッチ布Ｃ２が、裏前立てＡ１’と裏股マチ布Ｂ１’とを縫合することで裏クロッチ布Ｃ２’が形成され、それらが重ねられて図１９に示すクロッチ部ｃ３が形成される。
【００７９】
表クロッチ布Ｃ２の符号６１−６２と裏クロッチ布Ｃ２’の符号６１’−６２’の位置する端縁は、図１９に示すように略扇状に広がる。従って、表クロッチ布Ｃ２と裏クロッチ布Ｃ２’がパンツＰ３に取り付けられたとき、クロッチポケットＣＰ２の股間部後方付近にあっては、ヒップのふくらみに即した形状となる。また、第１実施例における第２の縫合部Ｄ２は、第４実施例においては符号６１，６１’−６２，６２’の縫合線となる（図１８において符号「Ｄ２’」で示す）。
【００８０】
このように、第４実施例に係るパンツＰ３にあっては、クロッチポケットＣＰ２の股間部後方付近が略扇状に形成されてヒップのふくらみに即した形状となるショート丈のパンツであっても、表クロッチ布Ｃ２と裏クロッチ布Ｃ２’を重ねて形成されるクロッチポケットＣＰ２に尿吸収体ＮＬが収容される、換言すれば、尿吸収体ＮＬはクロッチポケットＣＰ２の中、特にクロッチポケットＣＰ２の股マチ幅ＭＷ２に挟み込まれるように構成したので、歩く、座るなどの動作によってズレたり、はみ出したりすることがなく、よって尿吸収体ＮＬの位置ズレを防止することができる。
【００８１】
尚、残余の効果は第２実施例と同様であるので、説明を省略する。
【実施例５】
【００８２】
次いで、この発明の第５実施例に係るパンツについて説明する。
【００８３】
図２２はこの発明の第５実施例に係るパンツＰ４を示す、図１と同様な正面図であり、図２３は図２２に示すパンツＰ４のクロッチ部ｃ４を表す、図３と同様な平面図と左側面図である。また、図２４は、表クロッチ布Ｃ２と裏クロッチ布Ｃ２’が重ねられる前の状態を右前方から見た、図５と同様な立体斜視図である。尚、第５実施例に係るパンツＰ４は同様に男女兼用であるが、特に女性用に適している。
【００８４】
第４実施例との相違点に焦点をおいて説明すると、第４実施例ではパンツＰ３完成時においてクロッチポケットＣＰ２の表側にのみ表開き口ＡＳ１が形成されたが、第５実施例にあっては、その表開き口ＡＳ１が裏側に形成される。即ち、図２２から図２４に示す如く、互いのクロッチ布Ｃ２，Ｃ２’が表、裏逆に配置、具体的には、表クロッチ布Ｃ２は裏クロッチ布として配置されると共に、裏クロッチ布Ｃ２’は表クロッチ布として配置され、よって表開き口ＡＳ１が裏側に形成される。また、第５実施例にあっては表クロッチ布Ｃ２が内側（裏側）に配置されるため、表クロッチ布Ｃ２が吸水透過性を有する素材から製作される。また、外側（表側）に配置される裏クロッチ布Ｃ２’は、必ずしも吸水透過性を有する素材から製作されなくともよい。
【００８５】
このように、第５実施例に係るパンツＰ４にあっては、クロッチポケットＣＰ２の裏側に開き口（表開き口ＡＳ１）を形成して尿吸収体ＮＬをクロッチポケットＣＰ２に着脱自在とするように構成したので、尿吸収体ＮＬをパンツＰ４の内側（裏側）から容易に取り替えることができる。
【００８６】
尚、残余の効果は第４実施例と同様であるので、説明を省略する。
【００８７】
以上の如く、この発明の第１から第５実施例にあっては、表クロッチ布（Ｃ，Ｃ１，Ｃ２）と裏クロッチ布（Ｃ’，Ｃ１’，Ｃ２’）とを少なくとも備えたパンツ（Ｐ，Ｐ１，Ｐ２，Ｐ３，Ｐ４）において、前記表クロッチ布と裏クロッチ布を重ねて縫合して尿吸収体ＮＬを収容するクロッチポケット（ＣＰ，ＣＰ１，ＣＰ２）を形成すると共に、前記クロッチポケットに表開き口（ＡＳ，ＡＳ１）と裏開き口（ＡＳ’）の少なくともいずれかを形成して前記尿吸収体を前記クロッチポケットに着脱自在とするように構成した。
【００８８】
また、前記表クロッチ布と裏クロッチ布はそれぞれその端部（５（５’）−６（６’）−７（７’）、５５（５５’）−５６（５６’）−５７（５７’））が円弧状を呈する前立て（表前立てＡ，Ａ１、裏前立てＡ’，Ａ１’）とその端部（１０（１０’）−９（９’）−８（８’）、６０（６０’）−５９（５９’）−５８（５８’））が円弧状を呈する股マチ布（表股マチ布Ｂ，Ｂ１、裏股マチ布Ｂ’，Ｂ１’）からなると共に、前記前立ての端部と股マチ布の端部とを縫合してその縫合部Ｄ１付近を錐体形状（具体的には、円錐形状Ｙ）に形成するように構成した。
【００８９】
また、前記クロッチポケットに前記表クロッチ布と裏クロッチ布とを股間部後方付近で縫合して第２の縫合部Ｄ２を形成すると共に、前記クロッチポケットにおいて、前記尿吸収体の端部ＮＬ１を前記第２の縫合部付近に位置させるように構成した。
【００９０】
尚、第１実施例においてレギュラー丈、第２，３実施例においてセミショート丈、第４，５実施例においてショート丈のパンツを用いて説明したが、それに限られるものではなく、例えば第１実施例においてセミショート丈あるいはショート丈のパンツなどとすることも可能である。即ち、クロッチポケット（ＣＰ，ＣＰ１，ＣＰ２）は、股上丈、股下丈、あるいはシルエットを含め、様々な形状からなるパンツに適用が可能である。
【００９１】
また、上記において、腰ゴムＧ，Ｇ１は横一文字に形成されるように構成したが、前身頃部位において、腰ゴムＧ，Ｇ１がゆるやかなＵ字型の弓形状あるいは、ゆるやかなＶ字型のブーメラン形状などに形成されるようにしてもよい。
【００９２】
また、第１，２，４実施例にあっては裏クロッチ布を、第３，５実施例にあっては表クロッチ布を吸水透過性を有する素材で製作されるように構成したが、裏クロッチ布あるいは表クロッチ布だけではなく、各身頃など他の部位をその素材で製作されるように構成してもよい。
【００９３】
また、上記において、左右身頃Ｌ，Ｒ、後身頃Ｕ、表クロッチ布および裏クロッチ布の素材を具体的に示したが、それらは例示であって限定されるものではなく、要は着圧可能で伸縮性を有する素材あるいは吸水透過性も有する素材であればよい。
【００９４】
また、尿吸収体ＮＬを尿を吸収可能な素材から製作される専用の尿吸収ライナーとしたが、それに限られるものではなく、尿吸収に優れる布・紙などであってもよい。
【００９５】
また、前立ての端部と股マチ布の端部とを縫合してその縫合部Ｄ１付近を錐体形状、具体的には円錐体形状Ｙに形成するように構成したが、それに代えて角錐体形状などでもよく、要は着用者の体形に即した形状であれば、どのような形状でもよい。
【００９６】
また、第２の縫合部Ｄ２を、表クロッチ布の端部（下端）１１−１２と裏クロッチ布の端部（下端）１１’−１２’を股間部後方付近で縫合すると共に、その端部を後身頃Ｕと縫合することで形成したが、第２の縫合部Ｄ２は股間部後方付近に位置していればよいため、上記以外の構成によって形成してもよい。例えば、後身頃Ｕを除去し、表クロッチ布の端部１１−１２と裏クロッチ布の端部１１’−１２’をパンツＰの腰部付近まで伸ばすと共に、股間部後方付近に第２の縫合部Ｄ２と同様な縫い目を作るように構成（即ち、後身頃Ｕ、表・裏クロッチ布の３つの部材を縫合して形成されていた第２の縫合部Ｄ２を、表・裏クロッチ布の２つの部材を股間部後方付近で縫合して形成されるように構成）してもよく、それによって縫い代を不要とすることができ、着用感をさらに向上させることも可能である。
【図面の簡単な説明】
【００９７】
【図１】この発明の第１実施例に係るパンツの正面図である。
【図２】図１に示すパンツの背面図である。
【図３】図１および図２に示すクロッチ部を拡大して表す拡大平面図と拡大左側面図である。
【図４】図３などに示す表クロッチ布と裏クロッチ布の裁断形状（生地片）を、表側から見た平面図である。
【図５】図３などに示す表クロッチ布と裏クロッチ布が重ねられる前の状態を右前方から見た立体斜視図である。
【図６】図３などに示す表クロッチ布と裏クロッチ布を左後方から見た立体斜視図である。
【図７】図３などに示す表クロッチ布と裏クロッチ布のみを人体シルエットに対比して示す右側面図と正面図である。
【図８】図１に示すパンツを下方から見た立体斜視図である。
【図９】図８に示すパンツ完成時の中央部を左右に分断して左身頃を右側から見た断面図である。
【図１０】この発明の第２実施例に係るパンツを示す、図１と同様な正面図である。
【図１１】図１０に示すパンツのクロッチ部を表す、図３と同様な平面図と左側面図である。
【図１２】図１１などに示す表クロッチ布と裏クロッチ布の裁断形状（生地片）を、表側から見た、図４と同様な平面図である。
【図１３】図１１などに示す表クロッチ布と裏クロッチ布が重ねられる前の状態を右前方から見た、図５と同様な立体斜視図である。
【図１４】この発明の第３実施例に係るパンツを示す、図１と同様な正面図である。
【図１５】図１４に示すパンツのクロッチ部を表す、図３と同様な平面図と左側面図である。
【図１６】図１５などに示す表クロッチ布と裏クロッチ布が重ねられる前の状態を右前方から見た、図５と同様な立体斜視図である。
【図１７】この発明の第４実施例に係るパンツを示す、図１と同様な正面図である。
【図１８】図１７に示すパンツの背面図である。
【図１９】図１７に示すパンツのクロッチ部を表す、図３と同様な平面図と左側面図である。
【図２０】図１９などに示す表クロッチ布と裏クロッチ布の裁断形状（生地片）を、表側から見た、図４と同様な平面図である。
【図２１】図１９などに示す表クロッチ布と裏クロッチ布が重ねられる前の状態を右前方から見た、図５と同様な立体斜視図である。
【図２２】この発明の第５実施例に係るパンツを示す、図１と同様な正面図である。
【図２３】図２２に示すパンツのクロッチ部を表す、図３と同様な平面図と左側面図である。
【図２４】図２３などに示す表クロッチ布と裏クロッチ布が重ねられる前の状態を右前方から見た、図５と同様な立体斜視図である。
【符号の説明】
【００９８】
Ａ  表前立て（前立て。第１実施例）、Ａ１  表前立て（前立て。第２〜５実施例）、ＡＡ’  裏前立て（前立て。第１実施例）、Ａ１’  裏前立て（前立て。第２〜５実施例）、  ＡＳ  表開き口（第１実施例）、ＡＳ１  表開き口（第２〜５実施例）、ＡＳ’裏開き口（第１実施例）、Ｂ  表股マチ布（股マチ布。第１〜３実施例）、Ｂ１  表股マチ布（股マチ布。第４，５実施例）、Ｂ’  裏股マチ布（股マチ布。第１〜３実施例）、Ｂ１’  裏股マチ布（股マチ布。第４，５実施例）、Ｃ  表クロッチ布（第１実施例）、Ｃ１  表クロッチ布（第２，３実施例）、Ｃ２  表クロッチ布（第４，５実施例）、Ｃ’  裏クロッチ布（第１実施例）、Ｃ１’  裏クロッチ布（第２，３実施例）、Ｃ２’  裏クロッチ布（第４，５実施例）、ＣＰ  クロッチポケット（第１実施例）、ＣＰ１  クロッチポケット（第２，３実施例）、ＣＰ２  クロッチポケット（第４，５実施例）、Ｄ１  縫合部、Ｄ２  第２の縫合部、ＮＬ  尿吸収体、ＮＬ１  （尿吸収体の）端部、Ｐ，Ｐ１，Ｐ２，Ｐ３，Ｐ４  パンツ（第１〜５実施例）、Ｙ  円錐形状（錐体形状）
【図１】
2008002030.tif 000003
【図２】
2008002030.tif 000004
【図３】
2008002030.tif 000005
【図４】
2008002030.tif 000006
【図５】
2008002030.tif 000007
【図６】
2008002030.tif 000008
【図７】
2008002030.tif 000009
【図８】
2008002030.tif 000010
【図９】
2008002030.tif 000011
【図１０】
2008002030.tif 000012
【図１１】
2008002030.tif 000013
【図１２】
2008002030.tif 000014
【図１３】
2008002030.tif 000015
【図１４】
2008002030.tif 000016
【図１５】
2008002030.tif 000017
【図１６】
2008002030.tif 000018
【図１７】
2008002030.tif 000019
【図１８】
2008002030.tif 000020
【図１９】
2008002030.tif 000021
【図２０】
2008002030.tif 000022
【図２１】
2008002030.tif 000023
【図２２】
2008002030.tif 000024
【図２３】
2008002030.tif 000025
【図２４】
2008002030.tif 000026
【手続補正書】
【提出日】平成19年7月30日(2007.7.30)
【手続補正１】
【補正対象書類名】特許請求の範囲
【補正対象項目名】全文
【補正方法】変更
【補正の内容】
【特許請求の範囲】
【請求項１】
表クロッチ布と裏クロッチ布とを少なくとも備えたパンツにおいて、前記表クロッチ布と裏クロッチ布を重ねて縫合して尿吸収体を収容するクロッチポケットを形成すると共に、前記クロッチポケットに表開き口と裏開き口の少なくともいずれかを形成して前記尿吸収体を前記クロッチポケットに着脱自在とし、さらに前記表クロッチ布と裏クロッチ布をそれぞれその端部が円弧状を呈する前立てとその端部が円弧状を呈する股マチ布から構成すると共に、前記前立ての端部と股マチ布の端部とを縫合してその縫合部付近を錐体形状に形成したことを特徴とするパンツ。
【請求項２】
前記クロッチポケットに前記表クロッチ布と裏クロッチ布とを股間部後方付近で縫合して第２の縫合部を形成すると共に、前記クロッチポケットにおいて、前記尿吸収体の端部を前記第２の縫合部付近に位置させたことを特徴とする請求項１記載のパンツ。
【手続補正２】
【補正対象書類名】明細書
【補正対象項目名】００１２
【補正方法】変更
【補正の内容】
【００１２】
上記の目的を解決するために、請求項１にあっては、表クロッチ布と裏クロッチ布とを少なくとも備えたパンツにおいて、前記表クロッチ布と裏クロッチ布を重ねて縫合して尿吸収体を収容するクロッチポケットを形成すると共に、前記クロッチポケットに表開き口と裏開き口の少なくともいずれかを形成して前記尿吸収体を前記クロッチポケットに着脱自在とし、さらに前記表クロッチ布と裏クロッチ布をそれぞれその端部が円弧状を呈する前立てとその端部が円弧状を呈する股マチ布から構成すると共に、前記前立ての端部と股マチ布の端部とを縫合してその縫合部付近を錐体形状に形成するように構成した。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
請求項２にあっては、前記クロッチポケットに前記表クロッチ布と裏クロッチ布とを股間部後方付近で縫合して第２の縫合部を形成すると共に、前記クロッチポケットにおいて、前記尿吸収体の端部を前記第２の縫合部付近に位置させるように構成した。
【手続補正５】
【補正対象書類名】明細書
【補正対象項目名】００１７
【補正方法】変更
【補正の内容】
【００１７】
さらに、表クロッチ布と裏クロッチ布をそれぞれその端部が円弧状を呈する前立てとその端部が円弧状を呈する股マチ布から構成すると共に、前立ての端部と股マチ布の端部とを縫合してその縫合部付近を錐体形状に形成するように構成したので、上記した効果に加え、表クロッチ布と裏クロッチ布から形成されるクロッチポケットを、前記縫合部付近において錐体形状、具体的には着用者の体形に即した形状に形成することも可能となり、よって尿吸収体の取り替え（着脱）を容易に行うことができる。さらに、男性が着用する場合、前記縫合部を男性器付近に位置させるように構成することも可能となり、これにより錐体形状の内部に形成されたスペースに、男性器を容易に収容でき、着用感も一層向上させることができる。
【手続補正６】
【補正対象書類名】明細書
【補正対象項目名】００１８
【補正方法】変更
【補正の内容】
【００１８】
請求項２に係るパンツにあっては、クロッチポケットに表クロッチ布と裏クロッチ布とを股間部後方付近で縫合して第２の縫合部を形成すると共に、クロッチポケットにおいて、尿吸収体の端部を第２の縫合部付近に位置させるように構成、即ち、股間部後方付近の第２の縫合部付近が尿吸収体が収容されるべき位置の基点となるように構成したので、上記した効果に加え、パンツを着用したまま尿吸収体を取り替える際、新しい尿吸収体を適切な位置に素早く収容、具体的には、股間部の尿漏れ範囲に素早く位置決めして収容することができる。また、第２の縫合部は縫製作業の必要工程において形成され、縫い目が存在するだけであるため、着用感が低下することがない。
【手続補正７】
【補正対象書類名】明細書
【補正対象項目名】００８７
【補正方法】変更
【補正の内容】
【００８７】
以上の如く、この発明の第１から第５実施例にあっては、表クロッチ布（Ｃ，Ｃ１，Ｃ２）と裏クロッチ布（Ｃ’，Ｃ１’，Ｃ２’）とを少なくとも備えたパンツ（Ｐ，Ｐ１，Ｐ２，Ｐ３，Ｐ４）において、前記表クロッチ布と裏クロッチ布を重ねて縫合して尿吸収体ＮＬを収容するクロッチポケット（ＣＰ，ＣＰ１，ＣＰ２）を形成すると共に、前記クロッチポケットに表開き口（ＡＳ，ＡＳ１）と裏開き口（ＡＳ’）の少なくともいずれかを形成して前記尿吸収体を前記クロッチポケットに着脱自在とし、さらに前記表クロッチ布と裏クロッチ布をそれぞれその端部（５（５’）−６（６’）−７（７’）、５５（５５’）−５６（５６’）−５７（５７’））が円弧状を呈する前立て（表前立てＡ，Ａ１、裏前立てＡ’，Ａ１’）とその端部（１０（１０’）−９（９’）−８（８’）、６０（６０’）−５９（５９’）−５８（５８’））が円弧状を呈する股マチ布（表股マチ布Ｂ，Ｂ１、裏股マチ布Ｂ’，Ｂ１’）から構成すると共に、前記前立ての端部と股マチ布の端部とを縫合してその縫合部Ｄ１付近を錐体形状（具体的には、円錐形状Ｙ）に形成するように構成した。
【手続補正８】
【補正対象書類名】明細書
【補正対象項目名】００８８
【補正方法】削除
【補正の内容】